(57)【要約】【課題】携帯機器の柔軟性、交換可能度、およびアップグレード可能度を向上させた、携帯機器に接続されて携帯機器と無線通信網との通信を可能にする一組のモジュールを提供する。【解決手段】第１の無線送受信機モジュール２を介して通信網と通信する携帯機器１は、主アンテナ６を備える。モジュール２は、インターフェースを介して携帯機器１と通信し、前記携帯機器１はさらに、ダイバーシティアンテナ７を有し前記第１の無線送受信機モジュール２と前記携帯機器１の外部の直接データリンク８を介して通信する少なくとも１つの第２の無線送信受信機モジュール４を備える。【選択図】      図１
2006174452.tif 000002
【特許請求の範囲】
【請求項１】
携帯機器（１）に接続されて携帯機器と通信網との通信を可能にする一組のモジュール（２、４）であって、主アンテナ（６）を持ち、インターフェースを介する携帯機器（１）との通信に適した第１の無線送信機および／または受信機モジュール（２）を備えており、前記一組のモジュールはまた、ダイバーシティアンテナ（７、１７、１７ａ）を持ち、特に前記携帯機器（１）の外部にある、直接データリンク（８、１８、１８ａ）を介して前記第１の無線送信機および／または受信機モジュール（２）と通信する、少なくとも１つの第２の無線送信機および／または受信機モジュール（４、１４、１４ａ）を備えている、前記一組のモジュール。
【請求項２】
第１の無線送信機および／または受信機モジュール（２）と第２の無線送信機および／または受信機モジュール（４、１４、１４ａ）との間のデータリンク（８、１８、１８ａ）が、別個のケーブル、別個の短距離無線接続、たとえばＢｌｕｅｔｏｏｔｈ接続、または赤外線接続として実現されることを特徴とする、請求項１に記載の一組のモジュール。
【請求項３】
第１の無線送信機および／または受信機モジュール（２）並びに少なくとも１つの第２の無線送信機および／または受信機モジュール（４）は、携帯機器の異なるインターフェーススロットに結合されて、結合された各インターフェーススロットによって電力が供給されるように構成されていることを特徴とする、請求項１に記載の一組のモジュール。
【請求項４】
携帯機器の標準インターフェーススロット（３、５）への接続に適した少なくとも１つのマルチポートハブが設けられており、少なくとも１つのモジュール（２、４、１４、１４ａ）がマルチポートハブに結合されることを特徴とする、請求項１に記載の一組のモジュール。
【請求項５】
少なくとも１つの第２の送信機および／または受信機モジュール（１４、１４ａ）を携帯機器（１）に取り付けるために、少なくとも１つの取付手段（２０）が備えられていることを特徴とする、請求項１に記載の一組のモジュール。
【請求項６】
請求項１に記載の一組のモジュール（２、４）を備えた携帯機器（１）。
【請求項７】
少なくとも１つの無線送信機および／または受信機モジュール（２、４）が、携帯機器（１）の標準インターフェーススロット（３、５）を介して携帯機器に結合されていることを特徴とする、請求項６に記載の携帯機器。
【請求項８】
少なくとも１つのインターフェーススロット（３、５）が、少なくとも１つの無線送信機および／または受信機モジュール（２、４）と携帯機器（１）との間でデータトラフィックを伝送するために使用されることを特徴とする、請求項７に記載の携帯機器。
【請求項９】
第１の無線送信機および／または受信機モジュール（２）、並びに少なくとも１つの第２の送信機および／または受信機モジュール（４）が、携帯機器（１）の異なるインターフェーススロット（３、５）を介して携帯機器（１）に結合されており、少なくとも１つのインターフェーススロット（３、５）が、データトラフィックを伝送すると共に、インターフェーススロット（３、５）に接続されたモジュール（２、４）に電力を供給するために使用され、もう一つのインターフェーススロット（３、５）が、該インターフェーススロット（３、５）に接続された各モジュール（２、４）に電力を供給し、かつ／または該各モジュール（２、４）を位置決めするために少なくとも使用されることを特徴とする請求項７に記載の携帯機器。
【請求項１０】
第１の無線送信機および／または受信機モジュール（２）は、携帯機器（１）から電力が供給され、少なくとも１つの第２の無線送信機および／または受信機モジュール（４、１４、１４ａ）は、第１の無線送信機および／または受信機モジュール（２）から電力が供給されることを特徴とする請求項６に記載の携帯機器。
【発明の詳細な説明】
【技術分野】
【０００１】
本発明は、携帯機器に接続されて携帯機器と無線通信網との通信を可能にするのに適した一組のモジュールに関する。
【背景技術】
【０００２】
移動電話、ノートブックなど携帯機器のアンテナダイバーシティでは、単一のアンテナによる解決法よりも良好な性能を効果的に示すために、異なるアンテナの間に或る最短距離を設けなければならない。アンテナダイバーシティは、単一アンテナの送受信機では、必要とされる品質で接続をセットアップすることができない位置での無線通信を可能にするものである。さらに、高速データ転送速度が可能である。将来の発展には、ＭＩＭＯ（多重入力、多重出力）などの高度のアンテナダイバーシティ技術が含まれるであろう。
【０００３】
知られているように、アンテナを機器の別の場所に設け、それによって機器の一体部分を形成し、アンテナは、転送する送信機または組み合わされる受信機に固定ケーブルによって内部で直接リンクされる。そうするには、無線送信機および／または受信機がそのアンテナと共に作られ、携帯機器上に半永久的に、またはその中に部分的に固定される必要があり、このことは、柔軟性、交換可能度、およびグレードアップ可能度を大幅に低減させてしまう。
【発明の開示】
【発明が解決しようとする課題】
【０００４】
本発明の目的は、上述の欠点を克服する無線送信機および／または受信機構成を提供することである。
【課題を解決するための手段】
【０００５】
この目的は、携帯機器に接続されて携帯機器と通信網の通信を可能にする一組のモジュールによって達成される。この一組のモジュールは、主アンテナを持ち、インターフェースを介する携帯機器との通信に適した第１の無線送信機および／または受信機モジュールを備えており、一組のモジュールはまた、ダイバーシティアンテナを持ち、特に前記携帯機器の外部にあり該携帯機器から独立した直接データリンクを介して前記第１の無線送信機および／または受信機モジュールと通信する、少なくとも１つの第２の無線送信機および／または受信機モジュールを備えている。送信機および／または受信機は、送信機、受信機、または組み合わされた送信機および／または受信機ユニットであると理解されたい。本発明によれば、このユニットは、第１の送信機および／または受信機モジュールと少なくとも１つの第２の送信機および／または受信機モジュールとに分割される。したがって、ノートブックなどの携帯機器の製造者は、無線送信機および／または受信機を自分の製品に完全に合わせて作ることなく、アンテナダイバーシティ無線通信をその製品と共に使用することができる。製造者は、すでに市販の標準インターフェースを自分の製品に提供するだけでよい。こうした既存の、または別の方法で最低限に適合された携帯機器の購入者は、一組のモジュール、すなわち標準ダイバーシティアンテナ送信機および／または受信機を様々な製造者から購入することができる。第１の無線送信機および／または受信機ユニット、すなわち第１の無線送信機および／または受信機モジュールと、ダイバーシティアンテナユニット、すなわち少なくとも１つの第２の無線送信機および／または受信機モジュールとの間のリンクを標準化する必要はない。たとえばアップグレードのため、または海外旅行の場合など、使用される無線網に変更がある場合、第１の無線送信機および／または受信機モジュール並びに少なくとも１つの第２の無線送信機および／または受信機モジュール、すなわちアンテナダイバーシティユニットを有する無線送信機および／または受信機を、携帯機器のケーシングを開ける必要なく、またねじ回しなどツールを使用する必要なく、ユーザによって簡単に取り替えることができる。したがって、携帯機器の無線通信機能の柔軟性、交換可能度、およびアップグレード可能度が向上し、同時に、アンテナダイバーシティを有利に使用することができるようになる。
【０００６】
本発明の特に有利な実施形態では、第１の無線送信機および／または受信機モジュールと第２の無線送信機および／または受信機モジュールとの間のデータリンクは、別個のケーブル、または別個の短距離無線接続、具体的にはＢｌｕｅｔｏｏｔｈ接続または赤外線接続として実現される。赤外線接続としてラインオブサイト（視線方向、ｌｉｎｅ−ｏｆ−ｓｉｇｈｔ）赤外線接続を使用することができる。
【０００７】
第１の無線送信機および／または受信機モジュール並びに少なくとも１つの第２の無線送信機および／または受信機モジュールは、携帯機器の異なるインターフェーススロットに結合されて、結合された各インターフェーススロットによって電力を供給されるように構成されている場合、個別の電源は不要である。
【０００８】
あるいは、第１の送信機および／または受信機モジュールと少なくとも１つの第２の送信機および／または受信機モジュールがケーブルで互いに接続される場合、このケーブルを、第２の送信機および／または受信機モジュールに電力を供給するために、かつ第１の送信機および／または受信機モジュールと少なくとも１つの第２の送信機および／または受信機モジュールとの間のデータリンクとして使用することができる。したがって、第２の無線送信機および／または受信機モジュールは、第１の無線送信機および／または受信機モジュールによって電力が供給されるように構成される。
【０００９】
携帯機器に設けられたインターフェーススロットの少なくとも一部が、別の目的に使用され、送信機および／または受信機モジュールの接続に使用されない場合、標準インターフェースへの接続に適した少なくとも１つのマルチポートハブを設け、少なくとも１つのモジュールがこのマルチポートハブに結合されると有利である。したがって、ダイバーシティアンテナを、たとえばＵＳＢハブなどのマルチポートハブに接続することができる。ゆえに、携帯機器のインターフェースポートは、他の周辺機器に使用可能なままである。
【００１０】
他の実施形態では、少なくとも１つの第２の送信機および／または受信機モジュールを携帯機器に取り付けるための少なくとも１つの取付手段が提供される。たとえば、第２の送信機および／または受信機モジュールを携帯機器にクランプ固定することができる。したがって、少なくとも１つの第２の送信機および／または受信機モジュールは携帯機器の画定された位置を有する。さらに、それは携帯機器のインターフェースポートを塞がない。この実施形態は、第１の送信機および／または受信機モジュールと少なくとも１つの第２の送信機および／または受信機モジュールとの間の接続がケーブルを介して確立され、そのケーブルがデータ転送並びに少なくとも１つの第２の送信機および／または受信機モジュールへの給電に使用される場合に特に有利である。したがって、モジュールの少なくとも一部は、たとえば取付手段またはインターフェースポートを介した携帯機器への位置決めに適したものである。
【００１１】
本発明は、一組のモジュールを備える携帯機器にも関する。少なくとも１つの無線送信機および／または受信機モジュールが標準インターフェーススロットまたはポートを介して携帯機器に結合される場合、携帯機器への変更を行う必要はなく、またはあっても最小限である。好ましくは、少なくとも１つの送信機および／または受信機モジュールが、ＰＣＭＣＩＡまたはＵＳＢポートなど標準ポートに結合されるように構成される。したがって、アンテナダイバーシティを可能にする一組のモジュールへの接続に適した携帯機器を提供するには、製造者は、アセンブリに接続されるように構成されたアンテナダイバーシティを含む本発明の無線送信機および／または受信機アセンブリに適した、ＰＣＭＣＩＡまたはＵＳＢなど標準ポートを製品の適所に提供するだけでよい。
【００１２】
有利には、少なくとも１つのインターフェーススロットを使用して、少なくとも１つの無線送信機および／または受信機モジュールと携帯機器との間でデータトラフィックを伝送する。したがって、無線送信機および／または受信機アセンブリと携帯機器の間の通信が確保される。
【００１３】
好ましい一実施形態では、第１の無線送信機および／または受信機モジュール並びに少なくとも１つの第２の送信機および／または受信機モジュールが、異なるインターフェーススロットを介して携帯機器に結合され、少なくとも１つのインターフェーススロットが、インターフェーススロットに接続されたモジュールにデータトラフィックを伝送し電力を供給するために使用され、もう一つのインターフェーススロットが、それぞれインターフェーススロットに接続されたモジュールに電力を供給し、かつ／または各モジュールを位置決めするために少なくとも使用される。したがって、一つの想定は、各送信機および／または受信機モジュールが携帯機器の標準インターフェースポートに結合され、インターフェースポート全てがモジュールと携帯機器の間のデータトラフィックの交換に使用され、モジュールにはモジュールが結合されたインターフェーススロットを介して電力が供給される。あるいは、１つのモジュールがインターフェーススロットを介して携帯機器に接続され、そのインターフェーススロットがデータトラフィックの伝送および取り付けられたモジュールへの電力供給に使用されることが可能である。次いで、このモジュールが他のモジュールに電力を供給し、他のモジュールはなお標準インターフェーススロットに接続されたままであるが、インターフェーススロットは機械的位置決めまたは締め付けのためだけに働くことができる。他の変形形態では、第１の送信機および／または受信機モジュールが標準インターフェーススロットに接続され、そのインターフェーススロットが、データトラフィックを伝送し、第１の送信機および／または受信機モジュールに電力を供給するために使用される。他のモジュールは、標準インターフェーススロットにも差込まれ、こうしたインターフェーススロットを介して電力が供給され、第１の送信機および／または受信機モジュールを介して携帯機器と通信する。他の配置も可能である。
【００１４】
好ましい一実施形態では、第１の送信機および／または受信機モジュールには携帯機器によって電力が供給され、少なくとも１つの第２の送信機および／または受信機モジュールには第１の送信機および／または受信機モジュールによって電力が供給される。この処置によって、インターフェースポートが、様々な周辺機器によって使用されるように確保される。
【００１５】
さらなる利点を説明および添付の図面から得ることができる。上記および下記に述べた特徴を本発明と共に個別にまたは任意の組合せで集合的に使用することができる。上述の実施形態は、網羅的な列挙ではなく、本発明の説明の例示の特徴を持つものとして理解されたい。
【発明を実施するための最良の形態】
【００１６】
図１は、ノートブックとして実施された携帯機器１、並びに、携帯機器１の標準インターフェーススロット３に結合される第１の無線送信機および／または受信機モジュール２を示しており、インターフェーススロット３はＰＣＭＣＩＡスロットとして実施される。第２の無線送信機および／または受信機モジュール４は、携帯機器１の第２の標準インターフェーススロット５に結合され、第２のスロット５はＵＳＢスロットとして実施される。第１の無線送信機および／または受信機モジュール２は主アンテナ６を備え、第２の無線送信機および／または受信機モジュール４はダイバーシティアンテナ７を備える。第１の無線送信機および／または受信機モジュール２には、携帯機器１によってインターフェーススロット３を介して電力が供給される。第１の無線送信機および／または受信機モジュール２は、インターフェーススロット３を介した通信リンク、および携帯機器１の外部の直接データリンク８を介した通信リンクの２つの通信リンクを有する。データリンク８は、第２の無線送信機および／または受信機モジュール４へのラインオブサイト赤外線接続として実施される。あるいは、第１のと第２の無線送信機および／または受信機モジュールとの間のデータリンク８は、たとえばＢｌｕｅｔｏｏｔｈなど短距離無線リンク、または外部ケーブルとして実現することができる。後者の場合、第２の無線送信機および／または受信機モジュール４の給電も同様にケーブルを介して（第１の無線送信機および／または受信機モジュール２を介して）行うことができる。しかし、この実施形態では、第２の無線送信機および／または受信機モジュール４には、インターフェーススロット５を介して電力が供給される。第２の無線送信機および／または受信機モジュールは、第１の無線送信機および／または受信機モジュールへの通信リンクを１つだけ、すなわち、直接データリンク８を介した通信リンクを有する。第１のと第２の無線送信機および／または受信機モジュールの間のデータリンク８は、携帯機器に内蔵することもできるが、それには携帯機器で使用可能な特別の装備が必要とされることがあることを留意されたい。
【００１７】
図２も、携帯機器１、および携帯機器１の標準インターフェーススロット３に結合される第１の無線送信機および／または受信機モジュール２を示しており、インターフェーススロット３はＰＣＭＣＩＡスロットとして実施される。第１の無線送信機および／または受信機モジュール２は、スロット３を介して携帯機器１と通信し、携帯機器１によってスロット３を介して電力が供給される。この実施形態では、第２の無線送信機および／または受信機モジュール１４は標準インターフェーススロットに結合されていない。第１の無線送信機および／または受信機モジュール２は主アンテナ６を有し、第２の無線送信機および／または受信機モジュール１４はダイバーシティアンテナ１７を有する。第１のと第２の無線送信機および／または受信機モジュール２と１４は、直接通信リンク１８を介して通信する。直接通信リンク１８はこの場合はケーブルとして実施されている。ケーブルは、第２の無線送信機および／または受信機モジュール１４に第１の無線送信機および／または受信機モジュール２から電力を供給するためにも使用される。第２の無線送信機および／または受信機モジュール１４は、携帯機器１に取付手段２０を介してクランプ固定される。したがって、第２の無線送信機および／または受信機モジュール１４は、携帯機器１に所定の位置で締め付けられる。任意選択で、さらなる第２の無線送信機および／または受信機モジュール１４ａを提供することができ、このさらなる第２の無線送信機および／または受信機モジュール１４ａも携帯機器１にクランプ固定することができる。携帯機器の外部の直接データリンク１８ａは、第１の無線送信機および／または受信機モジュール２を、さらなるダイバーシティアンテナ１７ａを有するさらなる第２の無線送信機および／または受信機モジュール１４ａに接続するために提供される。直接データリンク１８ａは、ケーブルとしても実施され、さらなる第２の無線送信機および／または受信機モジュール１４ａに電力を供給するために使用される。
【図面の簡単な説明】
【００１８】
【図１】アンテナダイバーシティを有する携帯機器の第１の実施形態を示す図である。
【図２】アンテナダイバーシティを有する携帯機器の第２の実施形態を示す図である。
【符号の説明】
【００１９】
１  携帯機器
２  第１の無線送信機および／または受信機モジュール
３、５  インターフェーススロット
４、１４、１４ａ  第２の無線送信機および／または受信機モジュール
６  主アンテナ
７、１７、１７ａ  ダイバーシティアンテナ
８、１８、１８ａ  直接データリンク
２０  取付手段
【図１】
2006174452.tif 000003
【図２】
2006174452.tif 000004
【外国語明細書】
2006174452.tif 000005
2006174452.tif 000006
2006174452.tif 000007
2006174452.tif 000008
2006174452.tif 000009
2006174452.tif 000010
2006174452.tif 000011
2006174452.tif 000012
2006174452.tif 000013
2006174452.tif 000014
2006174452.tif 000015
2006174452.tif 000016
2006174452.tif 000017
2006174452.tif 000018
2006174452.tif 000019